(57)【要約】【課題】画像データと付加情報とを適切に対応付けて管理できる表示システム、及び表示方法を提供する。【解決手段】表示装置は、スライドショー表示を行うために必要な表示画像を本体機器に対して要求する（Ｓ１１）。本体機器は、表示装置に対して表示画像を送信する（Ｓ１３）。表示装置は、受信した表示画像を順番に表示する。ユーザが表示装置のタッチパネルを介して挿入画像を入力する（Ｓ１５）。表示装置は、表示中の表示画像に挿入画像を重ねて表示する。再度、ユーザが挿入画像を入力する（Ｓ１７）。表示装置は、フラッシュメモリの記憶容量が少なくなった場合、入力された挿入画像に、対応する表示画像の識別情報を対応付けて、本体機器に送信する（Ｓ１９）。本体機器は、受信した識別情報に対応する表示画像と、受信した挿入画像とを合成することで、付加画像を作成し、記憶する。【選択図】図１２
2011215892.tif 000002
【特許請求の範囲】
【請求項１】
画像を表示する表示手段を備えた表示装置と、前記画像を管理する本体機器とを少なくとも備えた表示システムであって、
前記表示装置は、
ユーザによる情報の入力を受け付ける受付手段と、
前記画像を識別する第一識別情報と、前記受付手段によって受け付けた受付情報を識別する第二識別情報とを対応付けた対応テーブルを、前記受付情報と共に第一記憶手段に記憶する第一制御手段と、
前記第一制御手段において記憶された前記対応テーブルに格納されている前記第一識別情報、及び、前記第一識別情報に対応する前記第二識別情報によって特定される前記受付情報を関連付けて前記本体機器に送信するか否かを、前記表示装置の状態に基づいて判断する第一判断手段と、
前記第一判断手段において、前記第一識別情報及び前記受付情報を送信すると判断された場合に、前記第一識別情報及び前記受付情報を前記本体機器に送信する第一送信手段と
を備え、
前記本体機器は、
前記第一送信手段によって前記表示装置から送信された前記第一識別情報及び前記受付情報を受信する受信手段と、
前記受信手段において受信された前記第一識別情報及び前記受付情報を、第二記憶手段に記憶する第二制御手段と
を備えたことを特徴とする表示システム。
【請求項２】
前記本体機器は、
前記受信手段によって受信された前記第一識別情報にて特定される前記画像を、前記画像が記憶された第三記憶手段から抽出し、前記第一識別情報に関連付けられている前記受付情報を、抽出した前記画像に付加することで、付加画像を作成する作成手段を備えたことを特徴とする請求項１に記載の表示システム。
【請求項３】
前記第一判断手段は、
前記第一記憶手段の空き容量が所定量以下となった場合に、前記第一識別情報及び前記受付情報を送信すると判断することを特徴とする請求項１又は２に記載の表示システム。
【請求項４】
前記表示装置は、
前記本体機器との通信状態を取得する取得手段を備え、
前記第一判断手段は、
前記取得手段によって取得された通信状態が所定の条件を満たす場合に、前記第一識別情報及び前記受付情報を送信すると判断することを特徴とする請求項１から３のいずれかに記載の表示システム。
【請求項５】
前記本体機器は、
前記第三記憶手段に記憶された前記画像を前記表示装置に送信する第二送信手段を備え、
前記第二送信手段は、
前記作成手段によって前記付加画像が作成されている場合には、前記画像の代わりに前記付加画像を前記表示装置に送信することを特徴とする請求項２に記載の表示システム。
【請求項６】
前記第一制御手段は、
複数の前記第一識別情報と一の前記第二識別情報とを対応付けた前記対応テーブルを、前記第一記憶手段に記憶し、
前記第一送信手段は、
複数の前記第一識別情報と一の前記受付情報とを関連付けて送信することを特徴とする請求項２に記載の表示システム。
【請求項７】
前記作成手段は、
複数の前記第一識別情報と一の前記受付情報とが対応付けられている場合には、其々の前記第一識別情報にて特定される前記画像に対して、一の前記受付情報を付加することで、複数の前記付加画像を作成することを特徴とする請求項６に記載の表示システム。
【請求項８】
前記本体機器は、
前記受信手段によって受信された前記第一識別情報にて特定される前記画像を、前記画像が記憶された第三記憶手段から抽出し、前記受信手段によって受信された前記受付情報と共に前記表示装置に送信する第三送信手段を備えたことを特徴とする請求項１に記載の表示システム。
【請求項９】
前記表示装置は、
前記表示装置を駆動する電力を供給する供給手段と、
前記供給手段の残容量を特定する容量特定手段と
を備え、
前記容量特定手段によって特定された前記残容量が所定量以下である場合に、前記受付手段によって受け付けられている状態の前記受付情報を不揮発性の第四記憶手段に記憶する第三制御手段を備えたことを特徴とする請求項１から３のいずれかに記載の表示システム。
【請求項１０】
前記第三制御手段は、
前記容量特定手段によって特定された前記残容量が所定量以下である場合に、前記受付情報を所定の周期で前記第四記憶手段に記憶することを特徴とする請求項９に記載の表示システム。
【請求項１１】
前記表示装置は、
前記表示装置と前記本体機器とが接続されたかを判断する第二判断手段と、
前記第二判断手段によって前記表示機器と前記本体機器とが接続されたと判断された場合に、前記第一識別情報及び前記受付情報を、前記本体機器に対して送信する第四送信手段と
を備えたことを特徴とする請求項１から１０のいずれかに記載の表示システム。
【請求項１２】
画像を表示する表示手段を備えた表示装置と、前記画像を管理する本体機器とにおいて実行される表示方法であって、
前記表示装置が、ユーザによる情報の入力を受け付ける受付ステップと、
前記表示装置が、前記画像を識別する第一識別情報と、前記受付ステップによって受け付けた受付情報を識別する第二識別情報とを対応付けた対応テーブルを、前記受付情報と共に第一記憶手段に記憶する第一制御ステップと、
前記表示装置が、前記第一制御ステップにおいて記憶された前記対応テーブルに格納されている前記第一識別情報、及び、前記第一識別情報に対応する前記第二識別情報によって特定される前記受付情報を関連付けて前記本体機器に送信するか否かを、前記表示装置の状態に基づいて判断する第一判断ステップと、
前記表示装置が、前記第一判断ステップにおいて、前記第一識別情報及び前記受付情報を送信すると判断された場合に、前記第一識別情報及び前記受付情報を前記本体機器に送信する第一送信ステップと、
前記本体機器が、前記第一送信ステップによって前記表示装置から送信された前記第一識別情報及び前記受付情報を受信する受信ステップと、
前記本体機器が、前記受信ステップにおいて受信された前記第一識別情報及び前記受付情報を、第二記憶手段に記憶する第二制御ステップと
を備えたことを特徴とする表示方法。
【発明の詳細な説明】
【技術分野】
【０００１】
本発明は、表示システム、及び表示方法に関する。より詳細には、表示装置に対して手書き入力を行うことができる表示システム、及び表示方法に関する。
【背景技術】
【０００２】
従来、表示装置を本体機器から分離して使用できる表示システム及び表示機器が提案されている。例えば特許文献１に記載の表示機器は、互いに分離可能な本体機器と表示装置とを備えている。本体機器は、表示装置との間で無線通信を行うことで、表示装置に対して画像データを送信する。表示装置は、本体機器から受信した画像データを記憶手段に記憶し、画像をディスプレイに表示する。
【０００３】
表示装置の大きさが制限され、表示装置が備える記憶装置の記憶容量が限定される場合がある。この場合、表示装置は、表示するすべての画像データを記憶手段に記憶できない。従って表示装置は、近々に表示する予定の画像データを本体機器から受信して記憶手段に記憶する必要がある。ディスプレイへの画像の表示が終了した後、画像データは削除される。
【先行技術文献】
【特許文献】
【０００４】
【特許文献１】特開２００６−２５８９８８号公報
【発明の概要】
【発明が解決しようとする課題】
【０００５】
ディスプレイに表示される画像に対して、ユーザが付加情報を入力する場合がある。例えば、表示装置がタッチパネルを備えている場合、ユーザは、タッチパネルを介して手書き情報の入力を行うことが可能である。表示装置は、入力された手書き情報と画像データを関連付けて記憶する必要がある。しかしながら上述の表示装置では、ディスプレイへの画像の表示が終了した画像データは削除されるので、画像データに対して手書き情報が入力された後、本体機器側で、手書き情報を画像データに対応付けて管理できないという問題点がある。
【０００６】
本発明の目的は、画像データと付加情報とを適切に対応付けて管理できる表示システム、及び表示方法を提供することにある。
【課題を解決するための手段】
【０００７】
本発明の第一態様に係る表示システムは、画像を表示する表示手段を備えた表示装置と、前記画像を管理する本体機器とを少なくとも備えた表示システムであって、前記表示装置は、ユーザによる情報の入力を受け付ける受付手段と、前記画像を識別する第一識別情報と、前記受付手段によって受け付けた受付情報を識別する第二識別情報とを対応付けた対応テーブルを、前記受付情報と共に第一記憶手段に記憶する第一制御手段と、前記第一制御手段において記憶された前記対応テーブルに格納されている前記第一識別情報、及び、前記第一識別情報に対応する前記第二識別情報によって特定される前記受付情報を関連付けて前記本体機器に送信するか否かを、前記表示装置の状態に基づいて判断する第一判断手段と、前記第一判断手段において、前記第一識別情報及び前記受付情報を送信すると判断された場合に、前記第一識別情報及び前記受付情報を前記本体機器に送信する第一送信手段とを備え、前記本体機器は、前記第一送信手段によって前記表示装置から送信された前記第一識別情報及び前記受付情報を受信する受信手段と、前記受信手段において受信された前記第一識別情報及び前記受付情報を、第二記憶手段に記憶する第二制御手段とを備えている。
【０００８】
本発明の第一態様によれば、ユーザが表示装置を介して入力した受付情報を識別する第二識別情報は、表示手段に表示される画像を識別する第一識別情報に対応付けられ、対応テーブルが作成される。表示装置の状態に基づいて、第一識別情報及び受付情報を本体機器に送信するか否かが判断される。第一識別情報及び受付情報を本体機器に送信する必要性が高い場合、例えば、表示装置の記憶手段の空き容量が小さい場合に、表示装置は、対応テーブルに基づいて、第一識別情報及び受付情報を本体機器に対して送信できる。また本体機器では、第一識別情報及び受付情報を受信して記憶手段に記憶できる。従って表示システムは、第一識別情報及び受付情報を的確に本体機器に保存させることができる。表示装置に記憶された状態の第一識別情報及び受付情報が消去されてしまうことを防止できる。
【０００９】
また、第一態様において、前記本体機器は、前記受信手段によって受信された前記第一識別情報にて特定される前記画像を、前記画像が記憶された第三記憶手段から抽出し、前記第一識別情報に関連付けられている前記受付情報を、抽出した前記画像に付加することで、付加画像を作成する作成手段を備えていてもよい。本体機器は、表示装置を介して受け付けられた受付情報を画像に付加し、付加画像を作成できる。本体機器は、受付情報が画像上に付加された付加画像を適切に作成できる。表示装置が所有していない画像に対して受付情報が入力された場合であっても、表示システムは付加画像を作成できる。表示装置は画像を全て記憶しておく必要がなくなるので、表示装置が実装しなければならない記憶手段の記憶容量を小さくできる。
【００１０】
また、第一態様において、前記第一判断手段は、前記第一記憶手段の空き容量が所定量以下となった場合に、前記第一識別情報及び前記受付情報を送信すると判断してもよい。これによって表示装置は、第一記憶手段の空き容量不足によって、受け付けた受付情報や画像が記憶できない状態を防止できる。
【００１１】
また、第一態様において、前記表示装置は、前記本体機器との通信状態を取得する取得手段を備え、前記第一判断手段は、前記取得手段によって取得された通信状態が所定の条件を満たす場合に、前記第一識別情報及び前記受付情報を送信してもよい。これによって表示装置は、本体機器との通信状態が良好である場合に、第一識別情報及び受付情報を本体機器に対して送信できる。表示装置は、本体機器に対して第一識別情報及び受付情報を確実に送信し、本体機器にこれらの情報を記憶させることができる。また表示装置は、本体機器との通信状態が悪い場合に、第一識別情報及び受付情報の送信を禁止できる。通信状態が悪い場合には、誤り検出訂正符号を付加した通信や再送通信を行う必要があるので、通信に要する消費電力が大きくなってしまう。従って表示装置は、通信状態が良好な場合に情報を送信することで、通信に要する消費電力を抑制できる。
【００１２】
また、第一態様において、前記本体機器は、前記第三記憶手段に記憶された前記画像を前記表示装置に送信する第二送信手段を備え、前記第二送信手段は、前記作成手段によって前記付加画像が作成されている場合には、前記画像の代わりに前記付加画像を前記表示装置に送信してもよい。表示装置は、本体機器から画像を受信して表示手段に表示できる。表示装置は、画像が必要な時点で必要量の画像のみ本体機器から受信し、記憶できるので、画像を記憶するために必要な記憶手段の容量を抑制できる。本体機器は、付加画像を表示装置に送信できる。表示装置は、本体機器から送信された付加画像を受信し、表示手段に表示できる。表示装置は、ユーザから受け付けた受付情報が画像上に付加された付加画像を表示できる。ユーザは、受付情報を入力することで、以後、受付情報が画像に付加された付加画像を継続して視認できる。
【００１３】
また、第一態様において、前記第一制御手段は、複数の前記第一識別情報と一の前記第二識別情報とを対応付けた前記対応テーブルを、前記第一記憶手段に記憶し、前記第一送信手段は、複数の前記第一識別情報と一の前記受付情報とを関連付けて送信してもよい。これによって表示装置は、第一識別情報と受付情報とを１対１で対応付けて本体機器に送信する場合と比較して、送信時のデータ量を抑制できる。表示装置は、効率的に第一識別情報及び受付情報を本体機器に対して送信できる。
【００１４】
また、第一態様において、前記作成手段は、複数の前記第一識別情報と一の前記受付情報とが対応付けられている場合には、其々の前記第一識別情報にて特定される前記画像に対して、一の前記受付情報を付加することで、複数の前記付加画像を作成してもよい。これによって本体機器は、複数の第一識別情報が一の受付情報に対応付けられている場合であっても、第一識別情報に対応する画像を第三記憶手段から選択して受付情報を付加し、複数の付加画像を作成できる。本体機器は、表示装置と本体機器との間の通信量を抑制しつつ、適切に付加情報を作成できる。
【００１５】
また、第一態様において、前記本体機器は、前記受信手段によって受信された前記第一識別情報にて特定される前記画像を、前記画像が記憶された第三記憶手段から抽出し、前記受信手段によって受信された前記受付情報と共に前記表示装置に送信する第三送信手段を備えていてもよい。これによって本体機器は、受付情報と画像とを対応付けて表示装置に送信できる。表示装置は、受付情報と画像とを別々に取得できるので、ユーザは、受付情報のみを再度加工する編集を行うことができる。
【００１６】
また、第一態様において、前記表示装置は、前記表示装置を駆動する電力を供給する供給手段と、前記供給手段の残容量を特定する容量特定手段とを備え、前記容量特定手段によって特定された前記残容量が所定量以下である場合に、前記受付手段によって受け付けられている状態の前記受付情報を不揮発性の第四記憶手段に記憶する第三制御手段を備えていてもよい。これによって表示装置は、受付情報を受け付けている最中に供給手段の残容量が少なくなった場合、受け付けている最中の受付情報を不揮発性の記憶手段に記憶できる。表示装置は、受付途中の受付情報が、供給手段の残容量低下によって消去されてしまうことを防止できる。
【００１７】
また、第一態様において、前記第三制御手段は、前記容量特定手段によって特定された前記残容量が所定量以下である場合に、前記受付情報を所定の周期で前記第四記憶手段に記憶してもよい。これによって表示装置は、受け付けている受付情報を周期的に不揮発性の記憶手段に記憶できる。
【００１８】
また、第一態様において、前記表示装置は、前記表示装置と前記本体機器とが接続されたかを判断する第二判断手段と、前記第二判断手段によって前記表示機器と前記本体機器とが接続されたと判断された場合に、前記第一識別情報及び前記受付情報を、前記本体機器に対して送信する第四送信手段とを備えていてもよい。表示装置と本体機器とが接続された場合に、表示装置は、記憶されている第一識別情報及び受付情報を本体機器に対して送信できる。表示装置と本体機器との接続部分を介して通信を行うことで、表示装置は確実に第一識別情報及び受付情報を本体機器に対して送信できる。
【００１９】
本発明の第二態様に係る表示方法は、画像を表示する表示手段を備えた表示装置と、前記画像を管理する本体機器とにおいて実行される表示方法であって、前記表示装置が、ユーザによる情報の入力を受け付ける受付ステップと、前記表示装置が、前記画像を識別する第一識別情報と、前記受付ステップによって受け付けた受付情報を識別する第二識別情報とを対応付けた対応テーブルを、前記受付情報と共に第一記憶手段に記憶する第一制御ステップと、前記表示装置が、前記第一制御ステップにおいて記憶された前記対応テーブルに格納されている前記第一識別情報、及び、前記第一識別情報に対応する前記第二識別情報によって特定される前記受付情報を関連付けて前記本体機器に送信するか否かを、前記表示装置の状態に基づいて判断する第一判断ステップと、前記表示装置が、前記第一判断ステップにおいて、前記第一識別情報及び前記受付情報を送信すると判断された場合に、前記第一識別情報及び前記受付情報を前記本体機器に送信する第一送信ステップと、前記本体機器が、前記第一送信ステップによって前記表示装置から送信された前記第一識別情報及び前記受付情報を受信する受信ステップと、前記本体機器が、前記受信ステップにおいて受信された前記第一識別情報及び前記受付情報を、第二記憶手段に記憶する第二制御ステップとを備えている。
【００２０】
本発明の第二態様に係る表示方法では、ユーザが表示装置を介して入力した受付情報を識別する第二識別情報は、表示手段に表示される画像を識別する第一識別情報に対応付けられ、対応テーブルが作成される。表示装置の状態に基づいて、第一識別情報及び受付情報を本体機器に送信するか否かが判断される。第一識別情報及び受付情報を本体機器に送信する必要性が高い場合、例えば、表示装置の記憶手段の空き容量が小さい場合に、表示装置は、対応テーブルに基づいて、第一識別情報及び受付情報を本体機器に対して送信できる。また本体機器では、第一識別情報及び受付情報を受信して記憶手段に記憶できる。従って表示システムは、第一識別情報及び受付情報を的確に本体機器に保存させることができる。表示装置に記憶された状態の第一識別情報及び受付情報が消去されてしまうことを防止できる。
【図面の簡単な説明】
【００２１】
【図１】表示システム１の概要を示す模式図である。
【図２】表示装置２のディスプレイ３に表示される表示画像の一例を示す図である。
【図３】表示装置２のディスプレイ３に表示される表示画像の一例を示す図である。
【図４】表示装置２のディスプレイ３に表示される表示画像の一例を示す図である。
【図５】表示装置２のディスプレイ３に表示される表示画像の一例を示す図である。
【図６】表示装置２のディスプレイ３に表示される表示画像の一例を示す図である。
【図７】表示装置２の電気的構成を示すブロック図である。
【図８】再生テーブル１４２１を示す図である。
【図９】複数対応テーブル１４２２を示す図である。
【図１０】本体機器４の電気的構成を示すブロック図である。
【図１１】画像テーブル３４２１を示す図である。
【図１２】表示システム１の通信シーケンスを示すシーケンス図である。
【図１３】メイン処理を示すフローチャートである。
【図１４】初期設定処理を示すフローチャートである。
【図１５】画像表示処理を示すフローチャートである。
【図１６】通信処理を示すフローチャートである。
【図１７】入力処理を示すフローチャートである。
【図１８】接続処理を示すフローチャートである。
【図１９】メイン処理を示すフローチャートである。
【発明を実施するための形態】
【００２２】
以下、本発明の一実施形態における表示システム１について、図面を参照して説明する。これらの図面は、本発明が採用しうる技術的特徴を説明するために用いられるものである。記載されている装置の構成、各種処理のフローチャートなどは、それのみに限定する趣旨ではなく、単なる説明例である。
【００２３】
図１を参照し、表示システム１の概要について説明する。表示システム１は、表示装置２と本体機器４とを備えている。表示装置２は、ディスプレイ３を備えている。表示装置２は電池で駆動する。表示装置２は、本体機器４と通信（無線通信、有線通信）を行うことで、ディスプレイ３に表示させる画像（以下「表示画像」という。）を本体機器４から取得する。取得された表示画像は、定められた周期で順番にディスプレイ３に表示される（以下このような表示態様を「スライドショー表示」ともいう。）。ディスプレイ３の表面にはタッチパネルが設けられている。ユーザは、タッチペン５をディスプレイ３にタッチさせることで、様々な画像を表示画像に挿入できる。以下、ユーザによって入力される画像を「挿入画像」という。
【００２４】
本体機器４は、表示装置２を立てて置くクレードルである。本体機器４は、表示装置２がセットされた状態で、コネクタを介して表示装置２と有線通信を行うことができる。本体機器４は、表示装置２と離隔した状態で、表示装置２と無線通信を行うことができる。本体機器４は表示画像を記憶している。本体機器４は、表示装置２に対して表示画像を送信することで、表示装置２のディスプレイ３に画像を表示させることができる。本体機器４は、表示装置２がセットされた状態で表示装置２の電池を充電できる。
【００２５】
図２から図６を参照し、表示装置２に対してユーザが挿入画像の入力を行った場合の表示態様の一例について説明する。図２から図６では、ディスプレイ３に表示画像が表示されている。図２に示すように、ユーザは、ディスプレイ３に表示画像が表示されている状態で、タッチペン５をディスプレイ３にタッチさせる。ディスプレイ３には、ユーザが実行可能なメニュー「編集」「終了」が表示される。ユーザによって「編集」が選択されたとする。図３に示すように、ディスプレイ３には、「編集」に関する詳細メニューとして「手書」「複数」「保存」「拡大」「移動」「反転」が新たに表示される。ユーザは、「手書」を選択することで、図４に示すように、表示中の表示画像に挿入画像「Thank You！」を入力できる。タッチペン５によって入力された挿入画像は、「拡大」「移動」「反転」等のメニューが選択されることによって編集可能となる。タッチペンによって入力された挿入画像は、「保存」メニューが選択されることによって、表示中の表示画像に対応付けられて保存される。
【００２６】
図５に示すように、「手書」が選択された状態で挿入画像「2010.2.9」が入力された後、「複数」メニューが選択されたとする。図６に示すように、スライドショー表示される表示画像の名称がリスト表示される。ユーザは、入力した挿入画像を対応付ける表示画像を選択できる。これによってユーザは、入力した挿入画像を複数の表示画像に同時に対応付けることができる。ユーザは、ディスプレイ３に表示されていない表示画像に対しても、挿入画像を対応付けることができる。
【００２７】
なお上述では、タッチパネルを介して挿入画像が入力されていたが、本発明はこれに限定されない。表示装置２は、予め所定の画像を記憶しておき、ユーザにいずれかを選択させてもよい。表示装置２は、選択された画像を挿入画像として表示画像に対応付けてもよい。例えば、「日付」や「時間」が挿入画像として選択された場合には、「日付情報」（2010．2．9など）や「時間情報」（20：30など）が表示画像に対応付けられるようにしてもよい。またこれらの挿入画像は、複数の表示画像に自動的に対応付けられるようにしてもよい。
【００２８】
図７を参照し、表示装置２の電気的構成について説明する。表示装置２は、ＣＰＵ１１、ＲＯＭ１２、ＲＡＭ１３、フラッシュメモリ１４、電池１５、ディスプレイ３、タッチパネル１６、ＲＦモジュール１７、アンテナ１８、通信ドライバ１９、及びコネクタ２０を備えている。
【００２９】
ＣＰＵ１１は、表示装置２全体の動作を制御する。ＲＯＭ１２には、ＣＰＵ１１が動作するためのＯＳやプログラムが少なくとも記憶される。ＲＡＭ１３には、プログラムで使用される各種の情報が一時的に記憶される。フラッシュメモリ１４には、画像記憶領域１４１、及びテーブル記憶領域１４２が設けられている。画像記憶領域１４１には、本体機器４から受信した表示画像、及び入力された挿入画像が記憶される。テーブル記憶領域１４２には、後述する再生テーブル及び複数対応テーブルが記憶される。タッチパネル１６は、ディスプレイ３の表面に設けられている。ＲＦモジュール１７は、データの変復調を行うモジュールである。ＣＰＵ１１は、アンテナ１８を介して本体機器４と無線通信を行うことができる。通信ドライバ１９は、コネクタ２０を介して本体機器４と通信を行うためのドライバ素子である。コネクタ２０は、表示装置２が本体機器４にセットされた状態で、本体機器４のコネクタ３８（図１０参照）と電気的に接続する。電池１５は、上述した各素子に電力を供給する。電池１５は、コネクタ２０を介して本体機器４から供給される電力によって充電する。
【００３０】
図８を参照し、テーブル記憶領域１４２に記憶される再生テーブルの一例である、再生テーブル１４２１について説明する。再生テーブル１４２１には、表示画像を識別する識別情報（以下「第一識別情報」という。）、挿入画像を識別する識別情報（以下「第二識別情報」という。）、及びフラグ情報が対応付けて格納されている。第一識別情報に対応する表示画像、及び、第二識別情報に対応する挿入画像は、画像記憶領域１４１に記憶される。
【００３１】
スライドショー表示させる表示画像がユーザによって選択された場合、選択された表示画像の第一識別情報は再生テーブル１４２１に格納される。一つの表示画像に対応付ける挿入画像がユーザによって入力された場合、挿入画像の第二識別情報は再生テーブル１４２１に格納される。フラグ情報は、第一識別情報に対応する表示画像が以下の３つの状態のうちいずれの状態であるかを示す。
（１）画像記憶領域１４１に記憶されており、且つ既にディスプレイ３に表示された状態
（２）画像記憶領域１４１に記憶されており、且つディスプレイ３に表示中であるか、又は未だディスプレイ３に表示されていない状態
（３）画像記憶領域１４１に記憶されていない（本体機器４から受信していない）状態
図８では、表示画像が（１）の状態である場合に「○」が表記され、（２）の状態である場合に「×」が表記され、（３）の状態である場合に「−」が表記されている。
【００３２】
図９を参照し、テーブル記憶領域１４２に記憶される複数対応テーブルの一例である、複数対応テーブル１４２２について説明する。複数対応テーブル１４２２には、第一識別情報、及び第二識別情報が対応付けて格納されている。複数の表示画像に対応付ける挿入画像がユーザによって入力された場合、第一識別情報及び第二識別情報は複数対応テーブル１４２２に格納される。図９では、表示画像の第一識別情報「Ｄ」「Ｅ」に対して一つの挿入画像の第二識別情報「β」を対応付ける入力操作が行われたことを示している。
【００３３】
図１０を参照し、本体機器４の電気的構成について説明する。本体機器４は、ＣＰＵ３１、ＲＯＭ３２、ＲＡＭ３３、フラッシュメモリ３４、ＲＦモジュール３５、アンテナ３６、通信ドライバ３７、コネクタ３８、及び電源ドライバ３９を備えている。
【００３４】
ＣＰＵ３１は、本体機器４全体の動作を制御する。ＲＯＭ３２には、ＣＰＵ３１が動作するためのプログラムが少なくとも記憶される。ＲＡＭ３３には、プログラムで使用される各種の情報が一時的に記憶される。フラッシュメモリ３４には、画像記憶領域３４１、及びテーブル記憶領域３４２が設けられている。画像記憶領域３４１には、表示装置２に表示させる表示画像、及び、表示装置２から受信した挿入画像が記憶される。テーブル記憶領域３４２には、後述するテーブルが記憶される。ＲＦモジュール３５は、データの変復調を行うモジュールである。ＣＰＵ３１は、アンテナ３６を介して表示装置２と無線通信を行うことができる。通信ドライバ３７は、表示装置２と通信を行うためのドライバ素子である。コネクタ３８は、表示装置２が本体機器４にセットされた状態で、表示装置２のコネクタ２０（図７参照）と電気的に接続する。電源ドライバ３９は、コネクタ３８に電力を供給することによって、表示装置２の電池１５を充電するドライバＩＣである。
【００３５】
図１１を参照し、テーブル記憶領域３４２に記憶される画像テーブルの一例である、画像テーブル３４２１について説明する。画像テーブル３４２１には、第一識別情報、第二識別情報、及び、表示画像と挿入画像とを合成した画像（以下「付加情報」という。）の識別情報が対応付けて格納されている。其々の識別情報に対応する画像は、画像記憶領域３４１に記憶された別のテーブルに格納され管理される。
【００３６】
スライドショー表示させる表示画像が表示装置２を介してユーザによって選択された場合、選択された表示画像の第一識別情報は画像テーブル３４２１に格納される。表示画像に対応付ける挿入画像が表示装置２を介してユーザによって入力された場合、挿入画像の第二識別情報は画像テーブル３４２１に格納される。表示画像と挿入画像とに基づいて付加画像が作成された場合、付加画像の識別情報は画像テーブル３４２１に格納される。
【００３７】
図１２を参照し、表示システム１における通信シーケンスについて説明する。なお、図１２における表示装置２と本体機器４との間の通信は無線によって行われている。表示装置２では、ディスプレイ３にスライドショー表示させる表示画像（Ａ．ｊｐｇ〜Ｚ．ｊｐｇ）がユーザによって選択される。選択された表示画像の第一識別情報「Ａ」〜「Ｚ」は、再生テーブル１４２１に格納される。選択された表示画像の第一識別情報は、本体機器４に対して通知される。本体機器４では、通知された第一識別情報を画像テーブル３４２１に格納する。
【００３８】
表示画像を本体機器４から取得するために、本体機器４に対して画像要求パケットが送信される。画像要求パケットでは、表示装置２が備えるフラッシュメモリ１４の画像記憶領域１４１に記憶できる分の表示画像が要求される。図１２では、要求数として「１０」が設定される。本体機器４は画像要求パケットを受信する（Ｓ１１）。
【００３９】
本体機器４は、表示装置２から要求された数「１０」の表示画像（Ａ．ｊｐｇ〜Ｊ．ｊｐｇ）を画像記憶領域３４１から読み出す。本体機器４は、読み出した表示画像を表示装置２に対して送信する。表示装置２は表示画像を受信する（Ｓ１３）。表示装置２は、受信した表示画像を画像記憶領域１４１に記憶する。表示装置２は、再生テーブル１４２１のフラグ情報のうち、受信した表示画像の第一識別情報に対応するフラグ情報に「×」を格納する。表示装置２は、定められた周期で順番に表示画像を読み出し、ディスプレイ３に表示する。このように表示装置２は、必要な表示画像のみ本体機器４から受信してフラッシュメモリ１４に記憶するので、フラッシュメモリ１４の記憶容量を小さくできる。
【００４０】
表示画像「Ａ．ｊｐｇ」がディスプレイ３に表示される。表示画像「Ａ．ｊｐｇ」がディスプレイ３に表示されている状態で、ユーザによって挿入画像αが入力される（Ｓ１５）。なお、挿入画像αが入力されている途中段階では、データはＲＡＭ１３に記憶される。挿入画像の保存形式はストロークデータ形式である。ストロークデータ形式では、タッチパネル１６に対するタッチペン５の接触部分の座標情報（ｘ，ｙ）が時系列に整理されて記憶される。挿入画像αは、そのまま表示画像Ａ上に描画される。
【００４１】
入力が終了した段階で、ストロークデータ形式でＲＡＭ１３に記憶されている挿入画像αは、所定の静止画形式（ｊｐｇ）に変換される。変換された挿入画像「α．ｊｐｇ」は、画像記憶領域１４１に記憶される。記憶された挿入画像には、該挿入画像の位置を示す座標情報（ｘ，ｙ）が対応付けられる。入力された挿入画像の第二識別情報「α」は、再生テーブル１４２１に格納される。挿入画像「α．ｊｐｇ」が表示画像「Ａ．ｊｐｇ」に重ねられ、「ａ．ｊｐｇ」がディスプレイ３に表示される。ここで「重ねられ・・・表示される」とは、挿入画像の描画部分が抽出され、他の部分が透明化されて、表示画像上にレイヤ表示されることを示す。挿入画像がレイヤ表示される場合の位置は、挿入画像に対応付けられている座標情報に基づいて決定される。以降、定められた周期で表示画像が順番に切り替わる（ａ．ｊｐｇ→Ｂ．ｊｐｇ・・・Ｄ．ｊｐｇ）。再生テーブル１４２１のうち、表示が終了した表示画像の第一識別情報に対応するフラグ情報に「○」が格納される。
【００４２】
表示画像「Ｄ．ｊｐｇ」がディスプレイ３に表示されている状態で、ユーザによって挿入画像βが入力される（Ｓ１７）。挿入画像βは、表示中の表示画像「Ｄ．ｊｐｇ」、及び、次に表示される表示画像「Ｅ．ｊｐｇ」の両方を指定して入力されているものとする。表示画像「Ｄ．ｊｐｇ」「Ｅ．ｊｐｇ」の第一識別情報「Ｄ」「Ｅ」と、入力された挿入画像の第二識別情報「β」とは、複数対応テーブル１４２２に格納される。入力終了後、入力された挿入画像を静止画形式に変換した「β．ｊｐｇ」は、画像記憶領域１４１に記憶される。挿入画像「β．ｊｐｇ」が表示画像「Ｄ．ｊｐｇ」に重ねられ、「Ｄ'．ｊｐｇ」がディスプレイ３に表示される。
【００４３】
ここで、挿入画像「β．ｊｐｇ」が画像記憶領域１４１に記憶されたことによって、画像記憶領域１４１の空き容量が少なくなったとする。表示装置２は、Ｓ１５で入力され、画像記憶領域１４１に記憶された挿入画像「α．ｊｐｇ」を、対応する表示画像「Ａ．ｊｐｇ」を識別する識別情報「Ａ」に対応付けて、本体機器４に対して送信する。本体機器４はこれを受信する（Ｓ１９）。表示装置２は、挿入画像「α．ｊｐｇ」の送信後、挿入画像「α．ｊｐｇ」を画像記憶領域１４１から消去する。これによって表示装置２は、画像記憶領域１４１の空き容量を確保する。また、第二識別情報「α」を、再生テーブル１４２１から消去する。なお、Ｓ１７で入力された挿入画像「β．ｊｐｇ」は、現在表示中の表示画像「Ｄ．ｊｐｇ」を表示するために使用されているので、本体機器４に送信せず、画像記憶領域１４１から消去しない。
【００４４】
なお、ディスプレイ３への表示が終了した表示画像は、表示終了のタイミングで画像記憶領域１４１から削除されてもよいし、挿入画像を本体機器４に対して送信するタイミングで画像記憶領域１４１から削除されてもよい。
【００４５】
一方、本体機器４では、受信した挿入画像の第二識別情報「α」が、画像テーブル３４２１に格納される。本体機器４では、受信した第一識別情報「Ａ」に対応する表示画像「Ａ．ｊｐｇ」が、画像記憶領域３４１から読み出される。読み出された表示画像「Ａ．ｊｐｇ」、及び受信された挿入画像「α．ｊｐｇ」が合成され、付加画像「Ａ'．ｊｐｇ」が作成される。ここで「合成」とは、挿入画像と表示画像とがＲＡＷデータに変換された後、表示画像上に描画部分が重ねられた画像ファイル（ｊｐｇ）が新たに作成されることを示す。作成された付加画像「Ａ'．ｊｐｇ」は、画像記憶領域３４１に記憶される。作成された付加画像の識別情報「Ａ'」は、画像テーブル３４２１に格納される。
【００４６】
表示装置２では、挿入画像「β．ｊｐｇ」が表示画像「Ｅ．ｊｐｇ」に重ねられた「Ｅ'．ｊｐｇ」が、ディスプレイ３に表示される。続けて、表示画像「Ｇ．ｊｐｇ」「Ｈ．ｊｐｇ」がディスプレイ３に表示される。この時点で、ディスプレイ３に表示できる表示画像が残り僅かになっている（Ｈ．ｊｐｇ、Ｉ．ｊｐｇ、及びＪ．ｊｐｇ）。表示装置２は、本体機器４に対して画像要求パケット（要求数：７）を送信する。本体機器４は、画像要求パケットを受信する（Ｓ２１）。本体機器４は、表示装置２から要求された分の表示画像（Ｋ．ｊｐｇ〜Ｑ．ｊｐｇ）を表示装置２に対して送信する。表示装置２は表示画像を受信し（Ｓ２３）、画像記憶領域１４１に記憶する。表示装置２は、定められた周期で順番に表示画像をディスプレイ３に表示する。このようにして表示装置２は、本体機器４から表示画像を受信しながらディスプレイ３に表示画像を繰り返し表示する。
【００４７】
表示画像「Ｉ．ｊｐｇ」がディスプレイ３に表示されている状態で、ユーザによって挿入画像γが入力される（Ｓ２５）。挿入画像γは、表示中の表示画像「Ｉ．ｊｐｇ」を指定して入力されているものとする。表示画像「Ｉ．ｊｐｇ」の第一識別情報「Ｉ」と、入力された挿入画像の第二識別情報「γ」とは、複数対応テーブル１４２２に格納される。入力終了後、入力された挿入画像を静止画形式に変換した「γ．ｊｐｇ」は、画像記憶領域１４１に記憶される。挿入画像「γ．ｊｐｇ」が表示画像「Ｉ．ｊｐｇ」に重ねられた「ｉ．ｊｐｇ」が、ディスプレイ３に表示される。ここで、挿入画像「γ．ｊｐｇ」が画像記憶領域１４１に記憶されたことによって、画像記憶領域１４１の空き容量が少なくなったとする。表示装置２は、Ｓ１７で入力され、画像記憶領域１４１に記憶されている挿入画像「β．ｊｐｇ」を、対応する表示画像「Ｄ．ｊｐｇ」「Ｅ．ｊｐｇ」の第一識別情報「Ｄ」「Ｅ」に対応付けて、本体機器４に対して送信する。本体機器４はこれらを受信する（Ｓ２７）。表示装置２は、挿入画像「β．ｊｐｇ」の送信後、挿入画像「β．ｊｐｇ」を画像記憶領域１４１から消去する。また、第一識別情報「Ｄ」「Ｅ」、及び第二識別情報「β」を、複数対応テーブル１４２２から消去する。なお挿入画像「γ．ｊｐｇ」は、現在表示中の表示画像「ｉ．ｊｐｇ」を表示するために使用されているので、本体機器４に送信せず、画像記憶領域１４１から消去しない。
【００４８】
一方本体機器４では、受信した挿入画像の第二識別情報「β」が、画像テーブル３４２１に格納される。本体機器４では、受信した第一識別情報「Ｄ」に対応する表示画像「Ｄ．ｊｐｇ」が、フラッシュメモリ３４から読み出される。読み出された表示画像「Ｄ．ｊｐｇ」、及び受信された挿入画像「β．ｊｐｇ」が合成され、付加画像「Ｄ''．ｊｐｇ」が作成される。作成された付加画像「Ｄ''．ｊｐｇ」は、画像記憶領域３４１に記憶される。同様に付加画像「Ｅ''．ｊｐｇ」が作成され、画像記憶領域３４１に記憶される。画像記憶領域３４１に記憶された付加画像の識別情報「Ｄ''」「Ｅ''」は、画像テーブル３４２１に格納される。
【００４９】
以降、定められた周期で表示画像が順番に切り替わる。表示装置２に記憶されている表示画像のうち、ディスプレイ３に表示できる表示画像が残り僅かになったとする。表示装置２は、本体機器４に対して画像要求パケット（要求数：７）を送信する。本体機器４は、画像要求パケットを受信する（Ｓ２９）。本体機器４は、表示装置２に送信するべき表示画像（Ａ．ｊｐｇ〜Ｚ．ｊｐｇ）を全て表示装置２に送信した場合、繰り返し「Ａ．ｊｐｇ」から順に表示画像を選択し、表示装置２に対して送信する。
【００５０】
ここで本体機器４は、挿入画像の合成によって新たに作成された付加画像の識別情報が画像テーブル３４２１に格納されている場合には、付加画像を表示装置２に対して送信する。この時点で、「Ａ'．ｊｐｇ」「Ｄ''．ｊｐｇ」「Ｅ''．ｊｐｇ」が付加画像として新たに作成されているので、本体機器４は表示装置２に対して（Ｙ．ｊｐｇ〜Ｅ''．ｊｐｇ（Ａ'．ｊｐｇ、Ｄ''．ｊｐｇ、及びＥ''．ｊｐｇを含む））を表示装置２に対して送信する。表示装置２は表示画像を受信する（Ｓ３１）。受信された表示画像は、ディスプレイ３に表示される。このように表示装置２は、入力された挿入画像を本体機器４に対して送信できるので、挿入画像を安全に管理できる。また本体機器４は、表示装置２から受信した挿入画像と、予め記憶されている表示画像とに基づいて、付加画像を作成できる。表示装置２は、自身が所有していない画像に対して受付情報が入力された場合であっても、付加画像を本体機器４から受信してディスプレイ３に表示できる。
【００５１】
なお上述では、表示装置２においてスライドショー表示される表示画像が残り僅かとなった場合に、本体機器４に対して複数の表示画像を要求する画像要求パケットが送信されていた。本発明はこれに限定されない。表示装置２は、一つの表示画像の表示が終了する度に、本体機器４から新たな表示画像を一つずつ要求してもよい。表示装置２において、表示画像と挿入画像とを合成した付加画像が作成されてもよい。作成された付加画像が本体機器４に対して送信されてもよい。
【００５２】
図１３から図１８を参照し、表示装置２のＣＰＵ１１が実行する処理（メイン処理、接続処理）について説明する。表示装置２の電源が投入され、スライドショー表示を開始する指示が入力された場合に、ＣＰＵ１１は各処理を起動し実行する。各処理は、ＯＳによって適宜スイッチングされる。これによってメイン処理と接続処理とは、其々が独立に且つ並列に実行される。
【００５３】
図１３から図１７を参照し、メイン処理について説明する。ＣＰＵ１１は、はじめに初期設定処理（Ｓ１１１）を実行する。ＣＰＵ１１は、初期設定処理によって、ディスプレイ３にスライドショー表示させる表示画像をユーザから受け付け、該当する表示画像を本体機器４から取得する。図１４に示すように、ＣＰＵ１１は、表示画像のサムネイルの取得を要求するサムネイル要求パケットを、本体機器４に対して送信する（Ｓ１３１）。サムネイル要求パケットに応じ、本体機器４からサムネイル応答パケットが返信される。ＣＰＵ１１は、サムネイル応答パケットを受信する（Ｓ１３３）。ＣＰＵ１１は、サムネイル応答パケットに格納されているサムネイルを抽出する。ＣＰＵ１１は、抽出されたサムネイルをディスプレイ３に表示する。
【００５４】
ユーザは、表示されたサムネイルを参照する。ユーザは、スライドショー表示させる表示画像を選択する。ＣＰＵ１１は、選択された表示画像に対応する第一識別情報を取得する（Ｓ１３５）。ＣＰＵ１１は、取得された第一識別情報を再生テーブル１４２１に格納する。ＣＰＵ１１は、取得された第一識別情報のリストを、本体機器４に対して送信する（Ｓ１３７）。ＣＰＵ１１は、画像要求パケットによって本体機器４に要求する表示画像の数を、以下のようにして特定する（Ｓ１３９）。
【００５５】
ＣＰＵ１１は、現状の画像記憶領域１４１の空き容量に基づいて、要求する表示画像の数を特定してもよい。またＣＰＵ１１は、ユーザによって入力される可能性のある挿入画像の容量を、画像記憶領域１４１の空き容量から減算した結果に基づいて、要求する表示画像の数を特定してもよい。またＣＰＵ１１は、表示装置２と本体機器４との間の通信状態に基づいて、要求する表示画像の数を特定してもよい。例えば、表示装置２と本体機器４との間の通信状態が悪い場合、入力された挿入画像を本体機器４に対して送信できない可能性が高い。この場合、挿入画像を画像記憶領域１４１に記憶しておく必要があるので、ＣＰＵ１１は、入力される可能性のある挿入画像の容量を大きく設定する。一方、表示装置２と本体機器４の間の通信状態が良好である場合、入力される挿入画像は本体機器４に対して送信できる可能性が高い。この場合ＣＰＵ１１は、入力される可能性のある挿入画像の容量を小さく設定する。そしてＣＰＵ１１は、設定された容量を、画像記憶領域１４１の空き容量から減算した結果に基づいて、要求する表示画像の数を特定してもよい。これによって表示装置２は、挿入画像がユーザによって入力された場合でも、挿入画像を記憶する記憶領域を確保できる。
【００５６】
ＣＰＵ１１は、特定した数分表示画像を取得するために、本体機器に対して画像要求パケットを送信する（Ｓ１４１）。画像要求パケットに応じ、本体機器４から表示画像が返信される。ＣＰＵ１１は、表示画像を受信する（Ｓ１４３）。ＣＰＵ１１は、受信した表示画像を、画像記憶領域１４１に記憶する。ＣＰＵ１１は、再生テーブル１４２１のうち、受信した表示画像の第一識別情報に、フラグ情報として「×」を対応付ける。ＣＰＵ１１は初期設定処理を終了する。処理はメイン処理に戻る。
【００５７】
なお上述では、ＣＰＵ１１はサムネイル応答パケットに格納されているサムネイルを抽出し、抽出したサムネイルをディスプレイ３に表示していた。本発明はこれに限定されない。サムネイル応答パケットには、サムネイルに加えて、其々の表示画像のプロパティ情報（ファイル種別、ファイル容量、更新履歴など）が格納されてもよい。ＣＰＵ１１は、サムネイルと同時にプロパティ情報を抽出し、ディスプレイ３に表示してもよい。これによってユーザは、所望する表示画像を選択し易くなる。またＣＰＵ１１は、表示画像のファイル容量を参照することで、本体機器４に要求する表示画像の数を特定し易くなる。ＣＰＵ１１は、画像記憶領域１４１に記憶できる表示画像の容量を容易に算出できるためである。
【００５８】
上述では、ユーザは、サムネイルが表示されたディスプレイ３を参照しつつ表示画像を選択していた。本発明はこれに限定されない。スライドショー表示させる表示画像は、ユーザが予め設定していてもよい。またＣＰＵ１１は、表示画像を複数のリストに分割し、ユーザにいずれかのリストを選択させてもよい。またＣＰＵ１１は、表示画像の選択と同時に、スライドショー表示に関する設定（表示画像の表示時間、表示画像が切替わる場合の表示効果など）をユーザに促してもよい。
【００５９】
上述において、ＣＰＵ１１は、サムネイル要求パケットを送信した後、所定時間経過してもサムネイル応答パケットを受信できない場合、サムネイル要求パケットを繰り返し送信することでリトライ処理を行ってもよい。ＣＰＵ１１は、画像要求パケットを送信した後、所定時間経過しても表示画像を受信できない場合、画像要求パケットを繰り返し送信することでリトライ処理を行ってもよい。
【００６０】
図１３に示すように、初期設定処理（Ｓ１１１）の終了後、ＣＰＵ１１は、スライドショー表示を終了させる指示が入力されたかを判断する（Ｓ１１３）。スライドショー表示を終了させる指示が入力された場合（Ｓ１１３：ＹＥＳ）、ＣＰＵ１１は、未送信の挿入画像を本体機器４に対して送信した後、メイン処理を終了する。
【００６１】
スライドショー表示を終了させる指示が入力されていない場合（Ｓ１１３：ＮＯ）、ＣＰＵ１１は、電池１５の電圧を取得する（Ｓ１１４）。ＣＰＵ１１は、取得した電池１５の電圧に基づいて、電池１５の残容量を特定する。取得した電池１５の電圧が所定値未満である場合、電池１５の残容量が所定値未満である場合（Ｓ１１５：ＹＥＳ）、継続して駆動できない。ＣＰＵ１１は、メイン処理を終了する。電池１５の残容量が所定値以上である場合（Ｓ１１５：ＮＯ）、継続して駆動可能である。ＣＰＵ１１は、画像記憶領域１４１に記憶した表示画像をディスプレイ３に表示させる処理（画像表示処理、図１５参照）を実行する（Ｓ１１７）。
【００６２】
図１５を参照し、画像表示処理について説明する。ＣＰＵ１１は、再生テーブル１４２１（図８参照）に格納された第一識別情報のうち、次にディスプレイ３に表示する表示画像の第一識別情報を選択する（Ｓ１５１）。ＣＰＵ１１は、複数対応テーブル１４２２（図９参照）に格納されている情報を、上から順に選択する。ＣＰＵ１１は、Ｓ１５１において選択した第一識別情報が、複数対応テーブル１４２２のうち選択した列の第一識別情報に含まれているか判断する（Ｓ１５３）。次に表示する表示画像の第一識別情報が含まれている場合（Ｓ１５３：ＹＥＳ）、ＣＰＵ１１は、複数対応テーブル１４２２のうち選択した列に格納されている第二識別情報を抽出する（Ｓ１５５）。処理はＳ１５７に進む。一方、次に表示する表示画像の第一識別情報が、複数対応テーブル１４２２のうち選択した列の第一識別情報に含まれていない場合（Ｓ１５３：ＮＯ）、処理はＳ１５７に進む。
【００６３】
ＣＰＵ１１は、複数対応テーブル１４２２の全ての列に対して、Ｓ１５３、Ｓ１５５の処理を実行したかを判断する（Ｓ１５７）。上述の処理が実行されていない列が残存する場合（Ｓ１５７：ＮＯ）、処理はＳ１５３に戻る。ＣＰＵ１１は、複数対応テーブル１４２２（図９参照）の次の列を選択し、Ｓ１５３、Ｓ１５５の処理を繰り返す。一方ＣＰＵ１１は、複数対応テーブル１４２２の全ての列を選択し、Ｓ１５３、Ｓ１５５の処理を実行した場合（Ｓ１５７：ＹＥＳ）、処理はＳ１５９に進む。
【００６４】
ＣＰＵ１１は、再生テーブル１４２１のうち、次にディスプレイ３に表示する表示画像の第一識別情報に、第二識別情報が対応付けられているか判断する（Ｓ１５９）。第二識別情報が対応付けられている場合（Ｓ１５９：ＹＥＳ）、ＣＰＵ１１は、該当する第二識別情報を抽出する（Ｓ１６１）。処理はＳ１６３に進む。一方、再生テーブル１４２１のうち、次に表示する表示画像の第一識別情報に、第二識別情報が対応付けられていない場合（Ｓ１５９：ＮＯ）、そのまま処理はＳ１６３に進む。
【００６５】
ＣＰＵ１１は、Ｓ１５５及びＳ１６１で抽出した第二識別情報に対応する挿入画像を、画像記憶領域１４１に記憶した挿入画像から選択する。ＣＰＵ１１は、画像記憶領域１４１に記憶された表示画像から、次に表示する表示画像を選択する。ＣＰＵ１１は、選択した表示画像に、選択した挿入画像を重ねる。ＣＰＵ１１は、重ねた結果の表示画像をディスプレイ３に表示する（Ｓ１６３）。ＣＰＵ１１は、再生テーブル１４２１のうち、表示が終了した表示画像の第一識別情報に対応するフラグ情報を「×」から「○」に更新する（Ｓ１６５）。ＣＰＵ１１は画像表示処理を終了する。処理はメイン処理に戻る。
【００６６】
図１３に示すように、ＣＰＵ１１は、画像表示処理（Ｓ１１７）の終了後、ユーザによって挿入画像が入力されたかを判断する（Ｓ１１９）。挿入画像が入力されていない場合（Ｓ１１９：ＮＯ）、ＣＰＵ１１は、本体機器４と通信を行って表示画像を取得し、必要に応じて挿入画像を送信する処理（通信処理、図１６参照）を実行する（Ｓ１２３）。
【００６７】
図１６を参照し、通信処理について説明する。はじめにＣＰＵ１１は、画像記憶領域１４１の空き容量が所定値以下であるかを判断する（Ｓ１７１）。ＣＰＵ１１は、画像記憶領域１４１の空き容量が所定値以下である場合に、ユーザによって入力された挿入画像を画像記憶領域１４１に記憶することによって空き容量が小さくなり、次に本体機器４から受信する表示画像を画像記憶領域１４１に記憶できない状態であると判断する。又、ＣＰＵ１１は、画像記憶領域１４１の空き容量が所定値以下である場合に、ユーザによって入力された挿入画像を画像記憶領域１４１に記憶することによって空き容量が小さくなり、次にユーザから受信する挿入画像を画像記憶領域１４１に記憶できない状態であると判断する。ＣＰＵ１１は、画像記憶領域１４１の空き容量が所定値以下であると判断した場合（Ｓ１７１：ＹＥＳ）、画像記憶領域１４１に記憶した挿入画像を以下のように選択し、本体機器４に対して送信する（Ｓ１８３，Ｓ１８５）。
【００６８】
はじめにＣＰＵ１１は、再生テーブル１４２１を参照する。フラグ情報に「○」が格納されている列に第二識別情報が格納されている場合、ＣＰＵ１１は、該当する列に格納された第一識別情報と第二識別情報とを抽出する。ＣＰＵ１１は、抽出した第二識別情報に対応する挿入画像を画像記憶領域１４１から選択する。ＣＰＵ１１は、選択した挿入画像に、抽出された第一識別情報を対応付ける。ＣＰＵ１１は、第一識別情報を対応付けた挿入画像を、本体機器４に対して送信する（Ｓ１８３）。これによって、第一識別情報と挿入画像とが１対１で対応付けられた状態で、第一識別情報及び挿入画像が本体機器４に対して送信される。
【００６９】
次いでＣＰＵ１１は、複数対応テーブル１４２２を参照する。ＣＰＵ１１は、複数対応テーブル１４２２に格納されている第一識別情報を抽出する。ＣＰＵ１１は、抽出した第一識別情報に対応する表示画像が既にディスプレイ３に表示されたかを、再生テーブル１４２１に基づいて判断する。既にディスプレイ３に表示されている場合、ＣＰＵ１１は、複数対応テーブル１４２２のうち該当する第一識別情報と同列にある第二識別情報を抽出する。ＣＰＵ１１は、抽出した第二識別情報に対応する挿入画像を、画像記憶領域１４１から選択する。ＣＰＵ１１は、選択した挿入画像に、抽出した第一識別情報を対応付ける。ＣＰＵ１１は、第一識別情報を対応付けた挿入画像を、本体機器４に対して送信する（Ｓ１８５）。これによって表示装置２は、一つの挿入画像に複数の第一識別情報を対応付け、本体機器４に対して送信できる。表示装置２は、第一識別情報と挿入画像とが１対１で対応付けられ本体機器４に送信される場合と比較して、送信時のデータ量を抑制できる。
【００７０】
なお、抽出した第一識別情報に対応する表示画像が、未だディスプレイ３に表示されていないか、ディスプレイ３に表示中である場合、ＣＰＵ１１は挿入画像を本体機器４に送信せず、画像記憶領域１４１に継続して記憶しておく必要がある。表示画像をディスプレイ３に表示する場合に、挿入画像が必要となるためである。
【００７１】
第一識別情報及び挿入画像を送信した後、ＣＰＵ１１は、本体機器４が返信するＡＣＫの受信を監視する（Ｓ１８９）。ＡＣＫは、本体機器４が表示装置２から送信された情報を正常に受信できた場合、このことを表示装置２に対して通知するために、本体機器４から送信されるパケットである。所定時間経過してもＡＣＫを受信できない場合（Ｓ１８９：ＮＯ）、処理はＳ１８３に戻る。ＣＰＵ１１は、第一識別情報及び挿入画像を繰り返し本体機器４に対して送信する。本体機器４が返信するＡＣＫを受信した場合（Ｓ１８９：ＹＥＳ）、ＣＰＵ１１は、送信した挿入画像を画像記憶領域１４１から消去する（Ｓ１９１）。ＣＰＵ１１は、送信した挿入画像の第二識別情報を、再生テーブル１４２１及び複数対応テーブル１４２２から削除する。処理はＳ１９３に進む。このように表示装置２は、挿入画像を本体機器４に対して送信した後、画像記憶領域１４１から挿入画像を削除することによって、画像記憶領域１４１の空き容量不足を解消している。表示装置２は、入力された挿入画像や、本体機器４から受信した表示画像が画像記憶領域１４１に記憶できない状態を防止している。
【００７２】
一方、画像記憶領域１４１の空き容量が所定値より大きいと判断した場合（Ｓ１７１：ＮＯ）、ＣＰＵ１１は、本体機器４との通信状態を取得する（Ｓ１７２）。ＣＰＵ１１は、本体機器４から送信されるビーコンの受信電界強度を計測することによって、通信状態を取得する。受信電界強度が小さく、本体機器４との通信状態が悪いと判断した場合（Ｓ１７３：ＮＯ）、処理はＳ１９３に進む。受信電界強度が大きく、本体機器４との通信状態が良好であると判断した場合（Ｓ１７３：ＹＥＳ）、ＣＰＵ１１は、画像記憶領域１４１に記憶した挿入画像を本体機器４に対して送信する（Ｓ１７５，Ｓ１７７）。ＣＰＵ１１は、Ｓ１８３と同じ判断に基づいて、挿入画像に第一識別情報を対応付け、本体機器４に対して送信する（Ｓ１７５）。ＣＰＵ１１は、Ｓ１８５と同じ判断に基づいて、挿入画像に複数の第一識別情報を対応付け、本体機器４に対して送信する（Ｓ１７７）。このように表示装置２は、本体機器４との通信状態が良好である場合に、第一識別情報及び挿入画像を本体機器４に対して送信できる。表示装置２は、本体機器４に対して第一識別情報及び挿入画像を確実に送信できる。
【００７３】
第一識別情報及び挿入画像を送信した後、ＣＰＵ１１は、本体機器４が返信するＡＣＫの受信を監視する（Ｓ１７９）。所定時間経過してもＡＣＫを受信できない場合（Ｓ１７９：ＮＯ）、処理はＳ１７５に戻る。第一識別情報及び挿入画像が繰り返し送信される。本体機器４が返信するＡＣＫを受信した場合（Ｓ１７９：ＹＥＳ）、ＣＰＵ１１は、送信した挿入画像を画像記憶領域１４１から消去する（Ｓ１８１）。送信した挿入画像の第二識別情報を、再生テーブル１４２１及び複数対応テーブル１４２２から削除する。処理はＳ１９３に進む。
【００７４】
ＣＰＵ１１は、画像記憶領域１４１に記憶した表示画像のうち未だディスプレイ３に表示していない表示画像の数が、所定数（例えば「３」）以下となったかを判断する（Ｓ１９３）。再生テーブル１４２１のうち、フラグ情報が「×」である列に格納された第一識別情報の合計が、未だ表示されていない表示画像の数に相当する。表示されていない表示画像の数が所定数より大きい場合（Ｓ１９３：ＮＯ）、ＣＰＵ１１は通信処理を終了する。処理は、メイン処理（図１３参照）に戻る。メイン処理では、通信処理（Ｓ１２３）の終了後、処理はＳ１１３に戻る。
【００７５】
図１６に示すように、表示されていない表示画像の数が所定数未満となった場合（Ｓ１９３：ＹＥＳ）、新たに本体機器４から表示画像を受信する必要がある。ＣＰＵ１１は、既にディスプレイ３への表示が終了した表示画像を、画像記憶領域１４１から削除する（Ｓ１９４）。再生テーブル１４２１のうち、削除した表示画像の第一識別情報に対応するフラグ情報を、「○」から「−」に変更する。ＣＰＵ１１は、画像記憶領域１４１に記憶可能な表示画像の数を特定する。ＣＰＵ１１は、特定した数分の表示画像を要求する画像要求パケットを、本体機器４に対して送信する（Ｓ１９５）。ＣＰＵ１１は、画像要求パケットに応じて本体機器４から返信される表示画像を受信する（Ｓ１９７）。ＣＰＵ１１は、受信した表示画像を、画像記憶領域１４１に記憶する。ＣＰＵ１１は、再生テーブル１４２１のうち、受信した表示画像の第一識別情報に、フラグ情報として「×」を対応付ける。ＣＰＵ１１は通信処理を終了する。処理はメイン処理（図１３参照）に戻る。図１３に示すように、メイン処理では、通信処理（Ｓ１２３）の終了後、処理はＳ１１３に戻る。
【００７６】
一方、ユーザによって挿入画像の入力が開始された場合（Ｓ１１９：ＹＥＳ）、ＣＰＵ１１は、入力途中の挿入画像を逐次ＲＡＭ１３に記憶する。ＣＰＵ１１は、挿入画像の入力処理（図１７参照）を実行する（Ｓ１２１）。図１７を参照し、入力処理について説明する。ＣＰＵ１１は、電池１５の電圧を取得する（Ｓ２００）。ＣＰＵ１１は、電池１５の電圧に基づいて、電池１５の残容量が所定値以下であるかを判断する（Ｓ２０１）。電池１５の残容量が所定値より大きい場合（Ｓ２０１：ＮＯ）、処理はＳ２０９に進む。
【００７７】
電池１５の残容量が所定値以下である場合（Ｓ２０１：ＹＥＳ）、ＣＰＵ１１は、所定の周期が経過したかを判断する（Ｓ２０３）。所定の周期が経過していない場合（Ｓ２０３：ＮＯ）、処理はＳ２０９に進む。所定の周期が経過した場合（Ｓ２０３：ＹＥＳ）、ＣＰＵ１１は、入力途中にある挿入画像をＲＡＭ１３から読み出し、第一識別情報と共にフラッシュメモリ１４に記憶する（Ｓ２０５）。処理はＳ２０９に進む。このように表示装置２は、挿入画像が入力されている最中に電池１５の残容量が少なくなった場合、入力途中の挿入画像をフラッシュメモリ１４に記憶できる。表示装置２は、入力途中の挿入画像が、電池１５の容量低下によって消去されてしまうことを防止できる。また表示装置２は、入力途中の挿入画像を周期的にＲＡＭ１３から読み出し、フラッシュメモリ１４に記憶できる。
【００７８】
ＣＰＵ１１は、一つの表示画像に対して挿入画像が入力されたか、又は、複数の表示画像を選択して挿入画像が入力されたかを判断する（Ｓ２０９）。一つの表示画像に対して挿入画像が入力された場合（Ｓ２０９：ＮＯ）、挿入画像の第二識別情報は、再生テーブル１４２１に格納される（Ｓ２１０）。ＣＰＵ１１は、挿入対象とする表示画像の第一識別情報に対応付けて、第二識別情報を格納する。処理はＳ２１３に進む。複数の表示画像に対して挿入画像が入力された場合（Ｓ２０９：ＹＥＳ）、挿入画像の第二識別情報は、複数対応テーブル１４２２に格納される（Ｓ２１１）。ＣＰＵ１１は、対象とする表示画像の第一識別情報と第二識別情報とを対応付けて複数対応テーブル１４２２に格納する。処理はＳ２１３に進む。このように表示装置２は、挿入画像が複数の表示画像に対応付けられる場合であっても、其々の表示画像を識別する第一識別情報と第二識別情報とを対応付け、複数対応テーブル１４２２を作成できる。
【００７９】
ＣＰＵ１１は、挿入画像の入力操作が終了したかを判断する（Ｓ２１３）。ユーザが入力操作を継続して実行している場合（Ｓ２１３：ＮＯ）、処理はＳ２００に戻る。挿入画像の入力操作が終了した場合（Ｓ２１３：ＹＥＳ）、フラッシュメモリ１４に画像を保存して（Ｓ２１９）メイン処理に戻る。メイン処理（図１３参照）では、入力処理（Ｓ１２１）の終了後、Ｓ１２３の処理に進む。
【００８０】
図１８を参照し、接続処理について説明する。接続処理は、例えば表示装置２においてスライドショー表示が行われた後、表示装置２が本体機器４にセットされた場合に実行される処理である。ＣＰＵ１１は、コネクタ２０の電気状態を検出する（Ｓ２７０）。ＣＰＵ１１は、検出された電気状態に基づいて、表示装置２が本体機器４にセットされ、双方が接続されたかを判断する（Ｓ２７１）。表示装置２と本体機器４とが接続されていないと判断した場合（Ｓ２７１：ＮＯ）、処理はＳ２７０に戻る。
【００８１】
表示装置２と本体機器４とが接続されたと判断した場合（Ｓ２７１：ＹＥＳ）、ＣＰＵ１４は、画像記憶領域１４１に挿入画像が記憶されているかが判断する（Ｓ２７３）。ＣＰＵ１１は、再生テーブル１４２１及び複数対応テーブル１４２２に第二識別情報が格納されているかを判断することで、本体機器４に送信していない挿入画像が画像記憶領域１４１に記憶されているかを判断する。本体機器４に送信していない挿入画像が画像記憶領域１４１に記憶されていない場合（Ｓ２７３：ＮＯ）処理はＳ２７０に戻る。画像記憶領域１４１に挿入画像が記憶されている場合（Ｓ２７３：ＹＥＳ）、ＣＰＵ１１は、画像記憶領域１４１に記憶されている挿入画像に第一識別情報を対応付け、本体機器４に対して送信する（Ｓ２７５，Ｓ２７７）。ＣＰＵ１１は、Ｓ１８３と同じ判断に基づいて、第一識別情報を対応付けた挿入画像を本体機器４に対して送信する（Ｓ２７５）。ＣＰＵ１１は、Ｓ１８５と同じ判断に基づいて、複数の第一識別情報を対応付けた挿入画像を本体機器４に対して送信する（Ｓ２７７）。
【００８２】
第一識別情報及び挿入画像を送信した後、ＣＰＵ１１は、本体機器４が返信するＡＣＫの受信を監視する（Ｓ２７９）。所定時間経過してもＡＣＫを受信できない場合（Ｓ２７９：ＮＯ）、処理はＳ２７５に戻る。ＣＰＵ１１は、第一識別情報及び挿入画像を繰り返し本体機器４に対して送信する。本体機器４が返信するＡＣＫを受信した場合（Ｓ２７９：ＹＥＳ）、ＣＰＵ１１は、送信した挿入画像を画像記憶領域１４１から消去する（Ｓ２８１）。ＣＰＵ１１は、送信した挿入画像の第二識別情報を、再生テーブル１４２１及び複数対応テーブル１４２２から削除する。処理はＳ２７３に戻る。
【００８３】
以上のように、表示装置２と本体機器４とが接続された場合に、表示装置２は、記憶されている第一識別情報及び挿入画像を本体機器４に対して送信できる。表示装置２と本体機器４との接続部分（コネクタ２０、３８）を介して通信を行うことで、表示装置２は第一識別情報及び挿入画像を本体機器４に対して確実に送信し、本体機器４に第一識別情報及び挿入画像を記憶させることができる。通信状態が悪く、表示装置２と本体機器４とが離れている状態では通信ができない場合であっても、表示装置２と本体機器４とは接続部分を介して通信を行うことができるので、確実に通信を行うことができる。本体機器４は、表示装置２の電池１５を充電する機能を備えており、表示装置２は定期的に本体機器４にセットされる。従って表示装置２は、挿入画像を本体機器４に対して頻繁に送信できる。これによって、挿入画像を安全に管理できる。
【００８４】
図１９を参照し、本体機器４のＣＰＵ３１が実行するメイン処理について説明する。本体機器４の電源が投入された場合に、ＣＰＵ３１はメイン処理を起動する。ＣＰＵ３１は、表示装置２から何らかのデータを受信したかを判断する（Ｓ２３１）。ＣＰＵ３１は、表示装置２から何らデータを受信していない場合（Ｓ２３１：ＮＯ）処理はＳ２３１に戻る。表示装置２から何らかのデータを受信した場合（Ｓ２３１：ＹＥＳ）、ＣＰＵ３１は、サムネイル要求パケットを受信したか判断する（Ｓ２３３）。サムネイル要求パケットを受信した場合（Ｓ２３３：ＹＥＳ）、ＣＰＵ３１は、表示装置２に対してＡＣＫを返信する。ＣＰＵ３１は画像記憶領域３４１に記憶されている表示画像を参照する。ＣＰＵ３１は、記憶されている表示画像に基づいてサムネイルを作成する。ＣＰＵ３１は、作成したサムネイルを、サムネイル応答パケットに格納する。ＣＰＵ３１は、サムネイル応答パケットを表示装置２に対して送信する（Ｓ２３５）。処理はＳ２３１に戻る。
【００８５】
サムネイル要求パケットを受信していない場合（Ｓ２３３：ＮＯ）、ＣＰＵ３１は、第一識別情報のリストを表示装置２から受信したかを判断する（Ｓ２３７）。第一識別情報のリストを表示装置２から受信した場合（Ｓ２３７：ＹＥＳ）、ＣＰＵ３１は、表示装置２に対してＡＣＫを返信する。ＣＰＵ３１は、受信した第一識別情報のリストを、画像テーブル３４２１に記憶する（Ｓ２３９）。処理はＳ２３１に戻る。
【００８６】
第一識別情報のリストを表示装置２から受信していない場合（Ｓ２３７：ＮＯ）、ＣＰＵ３１は、画像要求パケットを表示装置２から受信したかを判断する（Ｓ２４１）。画像要求パケットを表示装置２から受信した場合（Ｓ２４１：ＹＥＳ）、ＣＰＵ３１は、表示装置２に対してＡＣＫを返信する。ＣＰＵ３１は、表示装置２に送信する表示画像の第一識別情報を、画像テーブル３４２１から選択する。ＣＰＵ３１は、画像テーブル３４２１に記憶した第一識別情報を順番に参照することで、画像要求パケットにて要求されている数の第一識別情報を抽出する。ＣＰＵ１１は、抽出した第一識別情報に対応する表示画像を、画像記憶領域３４１から選択する。ここで、付加画像に対応する識別情報が画像テーブル３４２１に格納されている場合、ＣＰＵ３１は、付加画像を画像記憶領域３４１から選択する。ＣＰＵ３１は、選択した画像を表示装置２に対して送信する（Ｓ２４３）。これによって表示装置２は、本体機器４から画像を受信してディスプレイ３に表示できる。本体機器４は、付加画像が記憶されている場合に、付加画像を表示装置２に対して送信できる。表示装置２は、本体機器４から送信された付加画像を受信し、ディスプレイ３に表示できる。処理はＳ２３１に戻る。
【００８７】
画像要求パケットを表示装置２から受信していない場合（Ｓ２４１：ＮＯ）、ＣＰＵ３１は、挿入画像及び第一識別情報を受信したかを判断する（Ｓ２４５）。挿入画像及び第一識別情報は、無線を介して表示装置２から送信される場合と、表示装置２との接続部分を介して表示装置２から送信される場合とがある。挿入画像及び第一識別情報を受信した場合（Ｓ２４５：ＹＥＳ）、ＣＰＵ３１は、表示装置２に対してＡＣＫを返信する。ＣＰＵ３１は、受信した挿入画像の第二識別情報を、受信した第一識別情報に対応付けて画像テーブル３４２１に格納する（Ｓ２４７）。ＣＰＵ３１は、受信した挿入画像を画像記憶領域３４１に記憶する。ＣＰＵ３１は、受信した第一識別情報に対応する表示画像を、画像記憶領域３４１から選択する。ＣＰＵ３１は、選択した表示画像と、受信された挿入画像とを合成することで、付加画像を作成する（Ｓ２４９）。例えば、複数の第一識別情報が挿入画像に対応付けられている場合、ＣＰＵ３１は、複数の表示画像を選択する。ＣＰＵ３１は、選択した複数の表示画像の其々と、受信した挿入画像とを合成し、付加画像を複数作成する。このように本体機器４は、複数の第一識別情報が一の挿入画像に対応付けられている場合であっても、第一識別情報に対応する表示画像を画像記憶領域３４１から選択して挿入画像を付加し、複数の付加画像を作成できる。
【００８８】
ＣＰＵ３１は、作成した付加画像を画像記憶領域３４１に格納する。ＣＰＵ３１は、作成した付加画像の識別情報を、画像テーブル３４２１に格納する（Ｓ２５１）。ＣＰＵ３１は、受信した挿入画像のうち、未処理の挿入画像が残っているか判断する（Ｓ２５３）。未処理の挿入画像が残っている場合（Ｓ２５３：ＹＥＳ）、未処理の挿入画像と表示画像とを合成して付加画像を作成するために、処理はＳ２４９に戻る。受信した全ての挿入画像に基づいて付加画像を作成した場合（Ｓ２５３：ＮＯ）、処理はＳ２３１に戻る。上述以外のデータを受信した場合（Ｓ２４５：ＮＯ）、処理はＳ２３１に戻る。
【００８９】
なお上述では、サムネイル要求パケット、第一識別情報のリスト、及び、画像要求パケットは、無線を介して表示装置２から送信され、本体機器４において受信されることを想定していた。本発明はこれらに限定されない。表示装置２は、上述の各情報を、本体機器４との接続部分を介して本体機器４に対して送信してもよい。本体機器４では、接続部分を介して上述の各情報を受信した場合に、図１９に示す各処理が実行されてもよい。
【００９０】
以上説明したように、表示装置２は、第一識別情報及び挿入画像を本体機器４に送信する必要性が高い場合に、第一識別情報及び挿入画像を本体機器４に送信できる。また本体機器４では、第一識別情報及び挿入画像を受信してフラッシュメモリ３４に記憶できる。従って表示システム１では、第一識別情報及び挿入画像を確実に保存して管理できる。表示装置２に記憶された状態の第一識別情報及び挿入画像が消去されてしまうことを防止できる。
【００９１】
また本体機器４は、表示装置２を介して受け付けられた挿入画像と表示画像とを合成し、付加画像を作成できる。本体機器４は、挿入画像が表示画像上に付加された付加画像を適切に作成できる。表示システム１は、表示装置２が所有していない表示画像に対して挿入画像が入力された場合であっても、付加画像を作成できる。表示装置２は、画像を全て記憶しておく必要がなくなるので、表示装置２が実装しなければならないフラッシュメモリ１４の記憶容量を小さくできる。さらに本体機器４は、付加画像を表示装置２に対して送信できる。表示装置２は、付加画像を受信し、ディスプレイ３に表示できる。ユーザは、挿入画像を入力することで、以後、挿入画像が付加された付加画像を継続して視認できる。
【００９２】
なお、本発明は上記実施形態に限定されるものではなく、種々の変更が可能である。上述では、本体機器４は、付加画像が作成されている場合には、合成前の表示画像の代わりに付加画像を表示装置２に対して送信していた。本発明はこれに限定されない。本体機器４は、Ｓ２４３（図１９）の処理で、表示画像と挿入画像とを表示装置２に対して送信してもよい。表示装置２は、受信した表示画像に挿入画像を重ねてディスプレイ３に表示してもよい。これによって表示装置２は、挿入画像と表示画像とを別々に取得できるので、ユーザは、挿入画像のみを再度加工（拡大、縮小、移動など）する編集を行うことができる。
【００９３】
上述では、ユーザによって入力される挿入画像は、静止画形式で表示装置２及び本体機器４に記憶されていた。本発明はこれに限定されない。挿入画像はストロークデータ形式で表示装置２及び本体機器４に記憶されてもよい。これによって、タッチペン５による描画量が少ない場合に、静止画形式と比較してデータ容量を小さくできる。また、静止画形式で記憶するか、ストロークデータ形式で記憶するかを選択できるようにしてもよい。これによって、よりデータ容量の小さい形式で挿入画像を記憶できる。
【００９４】
例えば、挿入画像を入力している途中の段階ではストロークデータ形式でＲＡＭ１３に記憶し、フラッシュメモリ１４に挿入画像を記憶する段階で、必要に応じて静止画形式に変換してもよい。例えば、電池１５の残容量の低下により、入力途中の情報をフラッシュメモリ１４に記憶する場合（Ｓ２０５、図１７参照）には、記憶するデータ容量を極力小さくできるので、迅速且つ安全にフラッシュメモリ１４に入力情報を記憶できる。
【００９５】
また、表示装置２と本体機器４との間で挿入画像の通信を行う場合に、静止画形式及びストロークデータ形式のうちいずれかの形式を選択できるようにしてもよい。例えば、データ容量のより小さい形式を選択して通信を行ってもよいし、通信時に要する消費電力が小さくなるような形式を選択してもよい。
【００９６】
本体機器４から表示装置２に対して表示画像を送信する場合に、付加画像を表示装置２に対して送信するか、表示画像と挿入画像とを別々に表示装置２に対して送信するかを選択できるようにしてもよい。挿入画像の形式は、静止画形式又はストロークデータ形式が適宜選択されてもよい。例えば、データ容量がより小さい形式が選択されてもよい。
【００９７】
同一の表示画像に対して複数の入力情報が入力される場合には、入力回数に応じて、静止画形式及びストロークデータ形式のうちいずれかの形式を選択できるようにしてもよい。例えば、入力回数が少ない場合にはストロークデータ形式が選択され、入力回数が大きい場合には静止画形式が選択されてもよい。
【００９８】
表示装置２は、スライドショーの最初に表示される表示画像、及び、ユーザによって選択される可能性の高い表示画像を、予めフラッシュメモリ１４の画像記憶領域１４１に記憶してもよい。これによって表示装置２は、スライドショーの初期段階で表示画像が表示されるまでに要する時間を短縮できる。表示装置２は、迅速にスライドショーを開始できる。さらに、本体機器４との通信を抑制できるので、消費電力を抑えることができる。
【００９９】
上述では、表示装置２は本体機器４と無線通信を行うことでサムネイルを受信していたが、本発明はこれに限定されない。表示装置２が本体機器４にセットされた状態で、表示装置２は本体機器４から接続部分を介してサムネイルを受信してもよい。なお、表示装置２は、既にサムネイルが記憶されている場合には、本体機器４に記憶されたサムネイルが新たに更新されている場合にのみ、該サムネイルを本体機器４から受信してもよい。
【０１００】
表示装置２は、本体機器４にセットされた状態で、接続部分を介して本体機器４から表示画像を受信してもよい。これによって表示装置２は、本体機器４にセットされた状態でスライドショー表示を行うことができる。また、表示装置２が本体機器４との間の接続部分を介して通信を行うことができるので、無線通信時と比較して、高速且つ確実に通信を行うことができる。従って表示装置２は、最小限の表示画像を記憶すればよい。表示装置２は、表示画像が必要となった時点で高速且つ確実に本体機器４から表示画像を受信できるためである。更に表示装置２は、通常は省電力モードで動作し、表示画像が必要な場合にのみ起動してもよい。表示装置２は、起動時に本体機器４に対して表示画像を要求し、表示画像を取得できる。これによって表示装置２の消費電力を抑えることができる。
【０１０１】
上述では、本体機器４のフラッシュメモリ３４に表示画像等が記憶されていた。表示装置２は、無線通信によって本体機器４から表示画像等を受信し、スライドショー表示を実行していた。本発明はこれに限定されない。例えば、表示装置２及び本体機器４はメモリカードスロットを備えていてもよい。表示画像等は、メモリカードスロットに挿入されたメモリカードに記憶されてもよい。表示装置２は、メモリカードに記憶された表示画像を読みだすことで、スライドショー表示を実行してもよい。
【０１０２】
なお、図１３のＳ１１９の処理を行うＣＰＵ１１が本発明の「受付手段」に相当する。図１７のＳ２１０及びＳ２１１の処理を行うＣＰＵ１１が本発明の「第一制御手段」に相当する。図１６のＳ１７１、Ｓ１７３の処理を行うＣＰＵ１１が本発明の「第一判断手段」に相当する。図１６のＳ１７５、Ｓ１７７、Ｓ１８３、Ｓ１８５の処理を行うＣＰＵ１１が本発明の「第一送信手段」に相当する。図１９のＳ２４５の処理を行うＣＰＵ３１が本発明の「受信手段」に相当し、Ｓ２４７の処理を行うＣＰＵ３１が本発明の「第二制御手段」に相当し、Ｓ２４９の処理を行うＣＰＵ３１が本発明の「作成手段」に相当する。図１６のＳ１７２の処理を行うＣＰＵ１１が本発明の「取得手段」に相当する。図１９のＳ２４３の処理を行うＣＰＵ３１が本発明の「第二送信手段」「第三送信手段」に相当する。図７の電池１５が本発明の「供給手段」に相当する。図１７のＳ２００の処理を行うＣＰＵ１１が本発明の「容量特定手段」に相当し、Ｓ２０５の処理を行うＣＰＵ１１が本発明の「第三制御手段」に相当する。再生テーブル１４２１及び複数対応テーブル１４２２を記憶するフラッシュメモリ１４が本発明の「第一記憶手段」に相当し、画像テーブル３４２１を記憶するフラッシュメモリ３４が本発明の「第二記憶手段」「第三記憶手段」に相当し、入力中の挿入画像を記憶するフラッシュメモリ１４が本発明の「第四記憶手段」に相当する。図１８のＳ２７１の処理を行うＣＰＵ１１が本発明の「第二判断手段」に相当し、Ｓ２７５、Ｓ２７７の処理を行うＣＰＵ１１が本発明の「第四送信手段」に相当する。
【０１０３】
図１３のＳ１１９の処理が本発明の「受付ステップ」に相当する。図１７のＳ２１０及びＳ２１１の処理が本発明の「第一制御ステップ」に相当する。図１６のＳ１７１、Ｓ１７３の処理が本発明の「第一判断ステップ」に相当する。図１６のＳ１７５、Ｓ１７７、Ｓ１８３、Ｓ１８５の処理が本発明の「第一送信ステップ」に相当する。図１９のＳ２４５の処理が本発明の「受信ステップ」に相当し、Ｓ２４７の処理が本発明の「第二制御ステップ」に相当する。
【符号の説明】
【０１０４】
１      表示システム
２      表示装置
３      ディスプレイ
４      本体機器
１１，３１  ＣＰＵ
１４    フラッシュメモリ
１５    電池
３４    フラッシュメモリ
１３１  再生テーブル
１３２  複数対応テーブル
３４１  画像テーブル
【図１】
2011215892.tif 000003
【図２】
2011215892.tif 000004
【図３】
2011215892.tif 000005
【図４】
2011215892.tif 000006
【図５】
2011215892.tif 000007
【図６】
2011215892.tif 000008
【図７】
2011215892.tif 000009
【図８】
2011215892.tif 000010
【図９】
2011215892.tif 000011
【図１０】
2011215892.tif 000012
【図１１】
2011215892.tif 000013
【図１２】
2011215892.tif 000014
【図１３】
2011215892.tif 000015
【図１４】
2011215892.tif 000016
【図１５】
2011215892.tif 000017
【図１６】
2011215892.tif 000018
【図１７】
2011215892.tif 000019
【図１８】
2011215892.tif 000020
【図１９】
2011215892.tif 000021